(57)【要約】  【課題】  放電灯の低圧側異常時の的確な検出を行えるようにする。  【解決手段】  高周波点灯回路１の出力をコイル２を介して放電灯３に接続し、放電灯３のフィラメント(F1,F2)の一次側と二次側に第一、第二コンデンサ４、５を各々並列接続する。第二コンデンサ５の低圧側(C点)を電圧検出回路６に接続し、放電灯３の低圧側異常時に第二コンデンサ５の低圧側(C点)交流電圧を所定値以上に上昇可能として電圧検出回路６により検出可能としている。放電灯３の低圧側のフィラメント(F2)が断線したり、放電灯３の低圧側の接続ピンとソケット(いずれも図示せず)の接続が不完全になったような放電灯３の低圧側異常時に、コイル２と第一コンデンサ４の共振による出力電圧が放電灯３の高圧側フィラメント(F1)と第二コンデンサ５を介して第二コンデンサ５の低圧側交流電圧(C点)を所定値以上に上昇可能とし、電圧検出回路６により放電灯３の低圧側異常時の検出が的確に行える。【選択図】  図１
2006164794.tif 000002
【特許請求の範囲】
【請求項１】
高周波点灯回路の出力をコイルを介して放電灯に接続し、放電灯のフィラメントの一次側と二次側に第一、第二コンデンサを各々並列接続する放電灯点灯装置であって、第二コンデンサの低圧側を電圧検出回路に接続し、放電灯の低圧側異常時に第二コンデンサの低圧側交流電圧を所定値以上に上昇可能として電圧検出回路により検出可能とした放電灯点灯装置。
【請求項２】
請求項１において、第二コンデンサの低圧側交流電圧が所定値以上に上昇した場合、高周波点灯回路の発振周波数をより高く変化させるか、高周波点灯回路の出力を停止するかした放電灯点灯装置。
【発明の詳細な説明】
【技術分野】
【０００１】
本発明は、放電灯点灯装置に関する。
【背景技術】
【０００２】
高周波点灯回路の出力をコイルを介して放電灯に接続し、放電灯のフィラメントの二次側にコンデンサを並列接続する放電灯点灯装置は特許文献１などで公知である。
【特許文献１】特開２００１−２１７０９２号公報
【発明の開示】
【発明が解決しようとする課題】
【０００３】
前記回路構成では、放電灯の低圧側のフィラメントが断線したり、放電灯の低圧側接続ピンとソケットの接続が不完全になったような放電灯の低圧側異常時に、前記コンデンサの低圧側電圧が実質的に変化しないため、放電灯の低圧側異常時の検出が実質的に行えない。本発明はこのような解決すべき課題を鑑み、放電灯の低圧側異常時の的確な検出を行えるようにすることを目的とする。
【課題を解決するための手段】
【０００４】
本発明を要約すると、高周波点灯回路の出力をコイルを介して放電灯に接続し、放電灯のフィラメントの一次側と二次側に第一、第二コンデンサを各々並列接続する放電灯点灯装置であって、第二コンデンサの低圧側を電圧検出回路に接続し、放電灯の低圧側異常時に第二コンデンサの低圧側交流電圧を所定値以上に上昇可能として電圧検出回路により検出可能とした放電灯点灯装置である。
【発明の効果】
【０００５】
本発明によれば、放電灯の低圧側異常時に、コイルと第一コンデンサの共振による出力電圧が放電灯の高圧側フィラメントと第二コンデンサを介して第二コンデンサの低圧側交流電圧を所定値以上に上昇可能とし、電圧検出回路により放電灯の低圧側異常時の検出が的確に行える。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、高周波点灯回路１の出力をコイル２を介して放電灯３に接続し、放電灯３のフィラメント(F1,F2)の一次側と二次側に第一、第二コンデンサ４、５を各々並列接続する放電灯点灯装置である。そして、第二コンデンサ５の低圧側(C点)を電圧検出回路６に接続し、放電灯３の低圧側異常時に第二コンデンサ５の低圧側(C点)交流電圧を所定値以上に上昇可能として電圧検出回路６により検出可能としている。
【０００８】
本実施形態によれば、放電灯３の低圧側のフィラメント(F2)が断線したり、放電灯３の低圧側の接続ピンとソケット(いずれも図示せず)の接続が不完全になったような放電灯３の低圧側異常時に、コイル２と第一コンデンサ４の共振による出力電圧が放電灯３の高圧側フィラメント(F1)と第二コンデンサ５を介して第二コンデンサ５の低圧側交流電圧(C点)を所定値以上に上昇可能とし、電圧検出回路６により放電灯３の低圧側異常時の検出が的確に行える。
【０００９】
さらに詳述すれば、商用の交流電源７を整流器８で整流してコンデンサ９で平滑してから高周波点灯回路１の動作電源としている。もちろん、整流器８とコンデンサ９の間にいわゆるチョッパー回路を介在してもよい。高周波点灯回路１は交互に開閉する半導体スイッチング素子Q1,Q2により高周波出力を発生しており、半導体スイッチング素子Q1,Q2は制御回路１０により開閉制御される。制御回路１０はごく一般的なものを示しており、周波数設定回路１１により設定された周波数で発振回路１２が発振し、その発振出力をパルス出力回路１３を介して半導体スイッチング素子Q1,Q2の各入力(ゲート)に印加している。これにより、半導体スイッチング素子Q1,Q2は互いに逆位相で駆動されている。なお、周波数設定回路１１による設定周波数は、可変抵抗VR100と抵抗R100及びダイオードD100の一端に接続される抵抗値によって決まる。
【００１０】
電圧検出回路６には第二コンデンサ５の低圧側(グランド側)電圧を抵抗R1,R2,R3と抵抗R4で分圧して入力しており、さらに、コンデンサC4、倍電圧整流回路D1を介してトランジスタQ3の入力(ベース)に印加している。また、トランジスタQ3の出力(コレクタ)は抵抗R6,R8を介してダイオードD100の一端に接続され、ダイオードD100の他端は周波数設定回路１１に入力されている。なお、コンデンサC1は直流カット用、コンデンサC5は平滑用、可変抵抗VR100は設定周波数バラツキを調整するためにある。
【００１１】
通常時は第二コンデンサ５の低圧側(グランド側)は略0Vであり、図３に示す共振カーブＡの中心周波数(f0)の遅相側の周波数(fFULL)にて放電灯３は全光点灯(フル点灯)している。放電灯３の低圧側のフィラメント(F2)が断線したり、放電灯３の低圧側の接続ピンとソケット(いずれも図示せず)の接続が不完全になったような放電灯３の低圧側異常時には、第二コンデンサ５は共振回路系から切り離され、コイル２と第一コンデンサ４の共振による出力電圧が発生する。すると、共振カーブはＢのように高い周波数(中心周波数=f0')に移行する。
【００１２】
このようになると、高周波点灯回路１の発振周波数(ｆFULL)は共振カーブＢの進相側になったり、共振カーブの変化により共振中心点を通過する過程が発生するため、共振電圧の高い動作点で過渡的に動作することで回路部品に与えるストレスが過大となったり、放電灯３の接続ピンとソケットのルーズコンタクト時はアーク発生が持続しやすいものとなる。しかし、コイル２と第一コンデンサ４の共振による出力電圧(交流)はフィラメント(F1)と第二コンデンサ５を介して第二コンデンサ５の低圧側交流電圧(C点)を所定値以上に上昇させることが可能となり、その結果、電圧検出回路６により放電灯３の低圧側異常時の検出が的確に行える。
【００１３】
検出がなされると、トランジスタQ3はオンになり、周波数設定回路１１の入力端子に抵抗R8,R6及びトランジスタQ3のオン抵抗の合計直列抵抗値が並列に加わるようになり、その結果、周波数設定回路１１の設定周波数は高くなる。すると、発振回路１２の発振周波数は高い周波数にずれ、高周波点灯回路１の発振周波数も高くなる(f回避と示す)。この動作により、高周波点灯回路１の発振周波数(f回避)は共振カーブＢの遅相側になるため、回路部品のストレスが緩和される。
【００１４】
なお、コンデンサC6は動作が正常に戻りトランジスタQ3がオフ後、周波数が直ちにｆFULLまで戻らず、ある程度時間をかけスイープしながら戻すことでルーズコンタクト時のアークを和らげる効果がある。また、放電灯３の高圧側フィラメント(F1)の断線などによる放電灯３の高圧側異常時の検出については本願発明とは別段関係ないため開示していないが、よく知られた回路を用いればよい。さらにまた、第二コンデンサ５の低圧側交流電圧(C点)が所定値以上に上昇した場合、高周波点灯回路１の出力を停止させてももちろんよい。
【図面の簡単な説明】
【００１５】
【図１】本発明の実施形態を示す主要回路図
【図２】同高周波点灯回路を制御する制御回路を含む部分回路図
【図３】同動作を示す共振特性図
【符号の説明】
【００１６】
１  高周波点灯回路
２  コイル
３  放電灯
４  第一コンデンサ
５  第二コンデンサ
６  電圧検出回路
【図１】
2006164794.tif 000003
【図２】
2006164794.tif 000004
【図３】
2006164794.tif 000005